(57)【要約】【課題】  非常電源の点検タイミングが他の点灯装置と重複することの回避を図ることができる点灯装置、防災照明器具、及び防災照明システムを提供する。【解決手段】  点灯装置４は、１つ以上の他の点灯装置とともに防災照明システムＢ１に属する。点灯装置４は、点灯回路４１と、電源タイマ４２１と、制御回路４２と、を備える。点灯回路４１は、外部電源９の停止時に非常電源３から供給される非常用電力で光源２を点灯させる。電源タイマ４２１は、電池３の使用期間を計時する。制御回路４２は、使用期間の計時値が予め決められた点検値に達した後、他の点灯装置のいずれかとは異なるタイミングで、点検を実行する。点検は、非常電源３を放電させる。【選択図】図２
2020027705.tif 000002
【特許請求の範囲】
【請求項１】
１つ以上の他の点灯装置とともに防災照明システムに属する点灯装置であって、
外部電源の停止時に非常電源から供給される非常用電力で光源を点灯させる点灯回路と、
前記非常電源の使用期間を計時する電源タイマと、
前記使用期間の計時値が予め決められた点検値に達した後、前記他の点灯装置のいずれかとは異なるタイミングで、前記非常電源を放電させる点検を実行する制御回路と、
を備える
点灯装置。
【請求項２】
前記制御回路は、前記使用期間の計時値が前記点検値に達してから遅延期間が経過したときに前記点検を実行する
請求項１記載の点灯装置。
【請求項３】
前記点検が完了してからの期間を未点検期間として計時し、前記非常電源が交換される前に前記点検が再び実行された場合に前記未点検期間の計時値がリセットされる点検タイマ、をさらに備え、
前記制御回路は、前記未点検期間の計時値が予め決められた再点検値に達した後に前記他の点灯装置のいずれかとは異なるタイミングで前記点検を実行する
請求項１又は２記載の点灯装置。
【請求項４】
前記制御回路は、前記未点検期間の計時値が前記再点検値に達してから遅延期間が経過したときに前記点検を実行する
請求項３記載の点灯装置。
【請求項５】
前記制御回路は、乱数を生成し、生成した前記乱数に対応する値を前記遅延期間の長さとする
請求項２又は４記載の点灯装置。
【請求項６】
前記他の点灯装置のいずれかとは異なる識別情報を有し、
前記遅延期間の長さは、前記識別情報に基づいて設定される
請求項２又は４記載の点灯装置。
【請求項７】
人の操作によって指示値を設定するための設定器をさらに備え、
前記制御回路は、前記指示値に基づいて前記遅延期間の長さを設定する
請求項２又は４記載の点灯装置。
【請求項８】
前記他の点灯装置と通信を行う通信回路をさらに備え、
前記制御回路は、前記他の点灯装置と通信を行うことで、前記他の点灯装置のいずれかとは異なるタイミングで前記点検を実行する
請求項１乃至４のいずれか一項に記載の点灯装置。
【請求項９】
請求項１乃至８のいずれか一項に記載の点灯装置と、
前記点灯装置の出力によって点灯する光源と、
前記点灯装置に前記光源を点灯させるための非常用電力を供給する非常電源と、
前記点灯装置、前記光源、及び前記非常電源が取り付けられる本体と、を備える
ことを特徴とする防災照明器具。
【請求項１０】
請求項９記載の複数の防災照明器具を備える
ことを特徴とする防災照明システム。
【発明の詳細な説明】
【技術分野】
【０００１】
本開示は、点灯装置、防災照明器具、及び防災照明システムに関する。
【背景技術】
【０００２】
従来の防災照明器具の一例として、特許文献１記載の非常用照明装置を例示する。
【０００３】
特許文献１記載の非常用照明装置は、非常用ランプと、充電可能であって、非常時に非常用ランプへ電力を供給する非常電源と、点検部と、無線通信モジュールとを具備する。
【０００４】
点検部は、一定の点検周期で非常電源の所定の点検を行い、無線通信モジュールは、点検部による点検結果を送信する。点検部は、非常電源の異常を判断するための点検を、法令で定められた所定時間だけ行う。また、点検部は、法令で定められた所定期間を点検周期とし、前回の点検から所定期間が経過した時点で今回の点検を行う。つまり、点検部は、法令で定められた所定期間に従って定期的に、法令で定められた所定時間だけ、点検を行う。
【先行技術文献】
【特許文献】
【０００５】
【特許文献１】特開２０１８−５５７９６号公報
【発明の概要】
【発明が解決しようとする課題】
【０００６】
ところで、防災照明器具に含まれる誘導灯（日本工業規格C 8105-2-22 : 201422.3.22A参照）について、内蔵型の非常電源の点検の要件が緩和されている。つまり、非常電源がニッケル・カドミウム蓄電池の場合は製造年から３年を超えるまで原則として点検は不要である。また、非常電源がニッケル・水素蓄電池の場合は製造年から５年を超えるまで原則として点検は不要である（消防予第８０号「消防用設備等の試験基準及び点検要領の一部改正について（通知）」参照）。
【０００７】
しかしながら、非常電源の点検の要件が緩和された場合に、複数の防災照明器具の各点検タイミングの重複を避けることが求められている。
【０００８】
本開示の目的は、非常電源の点検タイミングが他の点灯装置と重複することの回避を図ることができる点灯装置、防災照明器具、及び防災照明システムを提供することにある。
【課題を解決するための手段】
【０００９】
本開示の一態様に係る点灯装置は、１つ以上の他の点灯装置とともに防災照明システムに属する点灯装置であり、点灯回路と、電源タイマと、制御回路と、を備える。前記点灯回路は、外部電源の停止時に非常電源から供給される非常用電力で光源を点灯させる。前記電源タイマは、前記非常電源の使用期間を計時する。前記制御回路は、前記使用期間の計時値が予め決められた点検値に達した後、前記他の点灯装置のいずれかとは異なるタイミングで、点検を実行する。前記点検は、前記非常電源を放電させる。
【００１０】
本開示の一態様に係る防災照明器具は、上述の点灯装置と、前記点灯装置の出力によって点灯する光源と、前記点灯装置に前記光源を点灯させるための非常用電力を供給する非常電源と、本体と、を備える。前記本体は、前記点灯装置、前記光源、及び前記非常電源が取り付けられる。
【００１１】
本開示の一態様に係る防災照明システムは、上述の複数の防災照明器具を備える。
【発明の効果】
【００１２】
以上説明したように、本開示は、非常電源の点検タイミングが他の点灯装置と重複することの回避を図ることができるという効果がある。
【図面の簡単な説明】
【００１３】
【図１】図１は、本開示の実施形態に係る点灯装置を備える防災照明システムの構成を示すブロック図である。
【図２】図２は、同上の点灯装置を備える防災照明器具の構成を示すブロック図である。
【図３】図３は、同上の点灯装置の動作を示すタイムチャートである。
【図４】図４は、同上の第１変形例の防災照明システムの構成を示すブロック図である。
【図５】図５は、同上の点灯装置を備える防災照明器具の構成を示すブロック図である。
【図６】図６Ａは、本開示の実施形態に係る防災照明器具の上面図である。図６Ｂは、同上の防災照明器具の下面図である。図６Ｃは、同上の防災照明器具の側面図である。
【発明を実施するための形態】
【００１４】
下記の実施形態において説明する各図は模式的な図であり、各構成要素の大きさや厚さそれぞれの比が必ずしも実際の寸法比を反映しているとは限らない。なお、以下の実施形態で説明する構成は本開示の一例にすぎない。本開示は、以下の実施形態に限定されず、本開示の効果を奏することができれば、設計等に応じて種々の変更が可能である。
【００１５】
実施形態に係る防災照明器具１は、建物の屋内の天井に設けられた埋込孔に埋め込まれる、埋込型の非常灯である。ただし、防災照明器具は埋込型の非常灯に限定されない。防災照明器具は、天井に直付けされる露出型の非常灯であってもよいし、誘導灯などの非常灯以外の防災照明器具であってもかまわない。
【００１６】
以下の実施形態は、一般に点灯装置、防災照明器具、及び防災照明システムに関する。より詳細に、以下の実施形態は、停電などの非常時に光源を点灯させる点灯装置、防災照明器具、及び防災照明システムに関する。
【００１７】
図１は、本実施形態の防災照明システムＢ１の構成を示す。防災照明システムＢ１は、複数の防災照明器具１を備える。
【００１８】
図２は、本実施形態の防災照明器具１の構成を示す。防災照明器具１は、光源２と、電池３と、点灯装置４と、を備える。複数の防災照明器具１の各点灯装置４は、同一の防災照明システムＢ１に属する。
【００１９】
光源２は、複数の固体発光素子を有する。例えば、光源２は、複数の固体発光素子として複数のＬＥＤ（Light Emitting Diode）が直列接続されたＬＥＤアレイを有している。なお、光源２は、固体発光素子としてＬＥＤを有する構成に限らない。光源２は、例えば、有機ＥＬ（Organic Electro Luminescence、OEL）、又は半導体レーザダイオード（Laser Diode、LD）などの他の固体発光素子を有していてもよい。
【００２０】
電池３は、充電可能な蓄電池（二次電池）であり、非常電源に相当する。電池３は、特定の種類の二次電池に限定されないが、電池３は、例えばニッケル・水素電池、又はニッケル・カドミウム電池であることが好ましい。そして、電池３は、蓄電している電荷を放電することで、非常用電力を出力することができる。すなわち、電池３から供給される電力が非常用電力である。
【００２１】
点灯装置４は、充電回路４０と、点灯回路４１と、制御回路４２とを備える。点灯装置４は、報知回路４３をさらに備えることが好ましい。また、点灯装置４は、直流電源回路４５と、停電検出回路４６と、受信部４７と、モニタランプ４８と、押釦スイッチ４９とをさらに備えることが好ましい。本実施形態の点灯装置４は、３つの押釦スイッチ４９を備えており、３つの押釦スイッチ４９を区別する場合、押釦スイッチ４９Ａ、４９Ｂ、４９Ｃとそれぞれ称す。
【００２２】
直流電源回路４５は、例えば、リンギングチョークコンバータなどの自励型のスイッチング電源回路で構成され、外部電源（例えば、商用の電力系統）９から供給される交流電圧を、当該交流電圧の実効値よりも低い直流電圧に変換することが好ましい。充電回路４０は、外部電源９から給電されているときに動作し、直流電源回路４５から電池３へ充電電流を流すように構成されることが好ましい。点灯回路４１は、電池３から供給される直流電流を定電流化して光源２に供給するように構成されることが好ましい。停電検出回路４６は、直流電源回路４５の出力電圧から外部電源９の停電を検出して制御回路４２に通知するように構成される。
【００２３】
モニタランプ４８は、例えば、緑色光を放射する発光ダイオードで構成され、充電回路４０から電池３に供給される充電電流によって発光させられることが好ましい。受信部４７は、赤外線を通信媒体とする無線信号を受信し、受信した無線信号から送信フレームを復調して制御回路４２に渡すように構成される。この無線信号は、点検を行う点検者などによって操作されるワイヤレス送信器から送信される。なお、点検は、法令で定められた期間ごとに実施され、電池３を規定の時間以上放電させて、電池３の劣化の程度を確認することを目的とする。さらに、点検は、点灯回路４１を強制的に動作させて、光源２が規定の時間以上、点灯状態を維持することを確認することをさらなる目的とすることが好ましい。
【００２４】
報知回路４３は、例えば、緑色のＬＥＤ又は赤色のＬＥＤなどの表示素子と、表示素子を駆動して発光させるＬＥＤ駆動回路とを有する。報知回路４３は、圧電サウンダなどの発音部と、発音部を駆動して報知音又は報知メッセージなどを発音させる音駆動回路とを有してもよい。なお、報知回路４３は、モニタランプ４８を表示素子として利用してもかまわない。
【００２５】
さらに、報知回路４３は、文字、記号又はパターンなどの識別子を視覚化することで報知を行ってもよい。例えば、「点検の時期です。」というような文字や○及び×などの記号やパターンなどの識別子が透かし形としてカバー１１に形成されることが好ましい。報知回路４３は、ＬＥＤなどの発光素子から放射される光を透かし形を通してカバー１１の外に出射させることにより、識別子を視覚化することが好ましい。なお、報知回路４３は、液晶ディスプレイなどの表示デバイスに表示させることによって識別子を視覚化してもかまわない。
【００２６】
制御回路４２は、外部電源９又は電池３から電力を供給されることで動作する。制御回路４２は、コンピュータシステムで構成されることが好ましい。コンピュータシステムは、ハードウェアとしてのプロセッサ及びメモリを主構成とする。コンピュータシステムのメモリに記録されたプログラムをプロセッサが実行することによって、本開示における制御回路４２としての機能が実現される。プログラムは、コンピュータシステムのメモリにあらかじめ記録されてもよく、電気通信回線を通じて提供されてもよく、コンピュータシステムで読み取り可能なメモリカード、光学ディスク、ハードディスクドライブ等の非一時的記録媒体に記録されて提供されてもよい。コンピュータシステムのプロセッサは、半導体集積回路（ＩＣ）又は大規模集積回路（ＬＳＩ）を含む一ないし複数の電子回路で構成される。ここでいうＩＣ又はＬＳＩ等の集積回路は、集積の度合いによって呼び方が異なっており、システムＬＳＩ、ＶＬＳＩ（Very Large Scale Integration）、又はＵＬＳＩ（Ultra Large Scale Integration）と呼ばれる集積回路を含む。さらに、ＬＳＩの製造後にプログラムされる、ＦＰＧＡ（Field-Programmable Gate Array）、又はＬＳＩ内部の接合関係の再構成若しくはＬＳＩ内部の回路区画の再構成が可能な論理デバイスについても、プロセッサとして採用することができる。複数の電子回路は、１つのチップに集約されていてもよいし、複数のチップに分散して設けられていてもよい。複数のチップは、１つの装置に集約されていてもよいし、複数の装置に分散して設けられていてもよい。ここでいうコンピュータシステムは、一つ以上のプロセッサ及び一つ以上のメモリを有するマイクロコントローラを含む。したがって、マイクロコントローラについても、半導体集積回路又は大規模集積回路を含む一ないし複数の電子回路で構成される。
【００２７】
制御回路４２は、停電検出回路４６が停電を検出していないとき、充電回路４０を動作させ、かつ、点灯回路４１を停止させるように構成される。また、制御回路４２は、停電検出回路４６が停電を検出しているとき、充電回路４０を停止させ、かつ、点灯回路４１を動作させるように構成される。また、電池３の充電状態にかかわらず、充電回路４０を停止させ、点灯回路４１を動作させて光源２を定常点灯（例えば、全点灯）させる場合もある。また、充電回路４０の充電量が点灯回路４１への放電量より十分小さければ（例えばトリクル充電）、充電回路４０を停止させず、点灯回路４１を動作させて光源２を定常点灯（例えば、全点灯）させる場合もある。
【００２８】
さらに、制御回路４２は、押釦スイッチ４９Ａが押操作された場合、あるいは、受信部４７から送信フレームを受け取った場合、点検者などから点検の指示があったと判断する。そして、制御回路４２は、電池３が満充電状態であれば、予め決められた規定時間に亘って、充電回路４０を停止させ、かつ、点灯回路４１を動作させて電池３を放電させ、点検を行うように構成される。制御回路４２は、電池３が満充電状態でなければ、まず充電回路４０を動作させて電池３を満充電状態にした後に、予め決められた規定時間に亘って、充電回路４０を停止させ、かつ、点灯回路４１を動作させて電池３を放電させ、点検を行う。また、制御回路４２は、電池３が満充電状態でなければ、充電回路４０を動作させて電池３を充電しながら、予め決められた規定時間に亘って、点灯回路４１を動作させて電池３を放電させてもよい。
【００２９】
また、電池３の充電状態にかかわらず、充電回路４０を停止させ、点灯回路４１を動作させて光源２を定常点灯（例えば、全点灯）させる場合もある。また、充電回路４０の充電量が点灯回路４１への放電量より十分小さければ（例えばトリクル充電）、充電回路４０を停止させず、点灯回路４１を動作させて光源２を定常点灯（例えば、全点灯）させる場合もある。
【００３０】
ただし、制御回路４２は、押釦スイッチ４９Ｂが押操作された場合は、点灯回路４１を数秒間動作させた後、再度、点灯回路４１を停止させ、かつ、充電回路４０を動作させるように構成されることが好ましい。
【００３１】
上述の及び防災照明器具１は、誘導灯又は非常用照明器具などの防災照明器具である。誘導灯、及び非常用照明器具に対しては、法令に基づく点検が実施されなければならない。誘導灯の点検の時期は消防法に規定されており、非常用照明器具の点検の時期は建築基準法に規定されている。
【００３２】
さらに、誘導灯に搭載されている蓄電池の製造年から所定の年数を超えていなければ、蓄電池の寿命を考慮して、当該誘導灯に対する上述の点検の実施は不要となる場合がある。この場合、誘導灯に搭載されている蓄電池の製造年から所定の年数を超えていれば、蓄電池の寿命を考慮して、当該誘導灯に対して上述の点検を実施する必要がある。例えば、蓄電池がニッケル・カドミウム電池である場合、蓄電池の製造年から３年を超えていれば、点検を実施することが好ましい。また、蓄電池がニッケル・水素電池である場合、蓄電池の製造年から５年を超えていれば、点検を実施することが好ましい。
【００３３】
しかしながら、適切な時期（例えば、法令などによって定められた時期）に点検が行われているとは言い難いのが実状である。そこで、本実施形態の防災照明器具１は、蓄電池の寿命を考慮した適切な時期に点検を行うために、以下の自動点検機能を有している。
【００３４】
まず、前提として、本実施形態の防災照明器具１では、電池３の使用期間が予め決められた時間を超えていなければ、防災照明器具１に対する点検の実施は不要となる。そこで、制御回路４２は、電池３の使用期間が予め決められた時間に達した後、点検を自動的に実行する。制御回路４２は、点検の実行時には、電池３が満充電状態であれば、予め決められた規定時間に亘って、充電回路４０を停止させ、かつ、点灯回路４１を動作させて光源２を定常点灯（例えば、全点灯）させる。制御回路４２は、電池３が満充電状態でなければ、まず充電回路４０を動作させて電池３を満充電状態にした後に、予め決められた規定時間に亘って、充電回路４０を停止させ、かつ、点灯回路４１を動作させて光源２を定常点灯（例えば、全点灯）させる。また、制御回路４２は、電池３が満充電状態でなければ、充電回路４０を動作させて電池３を充電しながら、予め決められた規定時間に亘って、点灯回路４１を動作させて電池３を放電させてもよい。
【００３５】
また、電池３の充電状態にかかわらず、充電回路４０を停止させ、点灯回路４１を動作させて光源２を定常点灯（例えば、全点灯）させる場合もある。また、充電回路４０の充電量が点灯回路４１への放電量より十分小さければ（例えばトリクル充電）、充電回路４０を停止させず、点灯回路４１を動作させて光源２を定常点灯（例えば、全点灯）させる場合もある。
【００３６】
そして、制御回路４２は、点検を開始してから規定時間（２０分間、３０分間又は６０分間）が経過した時点における電池３の電圧値、及び光源２に流れる電流値などに基づいて、防災照明器具１の点検を行い、点検結果を報知回路４３から報知させる。例えば、報知回路４３がＬＥＤを有している場合、制御回路４２は、電池３が劣化しており、電池３が正常でない（異常である）と判定すれば、ＬＥＤの点灯又は点滅によって報知する。また、制御回路４２は、光源２が劣化しており、光源２が正常でない（異常である）と判定すれば、別のＬＥＤの点灯又は点滅によって報知する。報知回路４３は、音声によって、光源２又は電池３の交換を促す旨を報知してもよい。
【００３７】
また、制御回路４２は、点検を開始してから規定時間が経過した時点において、点灯回路４１が正常に動作していれば、電池３が正常であると判定してもよい。制御回路４２は、規定時間が経過した時点において、電池３の出力電圧の低下により点灯回路４１が正常に動作していなければ、電池３が正常でない（異常である）と判定してもよい。
【００３８】
制御回路４２は、電源タイマ４２１、及び点検タイマ４２２の各機能を有するように構成されている。制御回路４２がＲＴＣ（Real Time Clock）を具備している場合、電源タイマ４２１及び点検タイマ４２２は、ＲＴＣの値を周期的に読み取って、カウント値を積算することで、経過時間を計時する計時動作を行う。あるいは、電源タイマ４２１及び点検タイマ４２２は、カウント値を一定周期（例えば、クロック周波数の周期など）でインクリメントすることで計時動作を行うカウンタであってもよい。
【００３９】
電源タイマ４２１は、電池３の使用期間Ｔａを計時する。本実施形態において、使用期間Ｔａは、充電回路４０によって電池３の充電が開始された時点からの経過時間である。ただし、使用期間Ｔａの起点は、新品の電池３が充電回路４０によって満充電された時点であってもかまわない。そして、電源タイマ４２１が使用期間Ｔａの計時を開始すると、使用期間Ｔａの計時値［Ｔａ］はゼロから時間の経過に伴って増加する。また、電源タイマ４２１は、電池３が新しい電池３に交換された場合にリセットされ、計時値［Ｔａ］がゼロになる。本実施形態では、人が電池３の交換後に押釦スイッチ４９Ａ，４９Ｂを同時に押操作する。制御回路４２は、押釦スイッチ４９Ａ，４９Ｂが同時に押操作されると、電源タイマ４２１をリセットする。電源タイマ４２１のリセット後、計時値［Ｔａ］はゼロから再び増加する。
【００４０】
または、制御回路４２が非常用電力のみで動作する場合、制御回路４２は、非常用電力の供給の有無に基づいて、電池３の交換作業の実施を検出してもよい。例えば、制御回路４２は、非常用電力の伝達経路の電圧が制御回路４２の動作電圧を下回って、制御回路４２の動作が停止する直前に、ＲＴＣの値に基づいて停止直前の時刻情報を記憶しておく。そして、制御回路４２は、非常用電力の伝達経路の電圧が制御回路４２の動作電圧を上回って、制御回路４２の動作が再開された直後に、ＲＴＣの値に基づいて再開直後の時刻情報を取得する。制御回路４２は、停止直前の時刻情報と再開直後の時刻情報の差分から、動作を停止していた停止時間を求めて、停止時間が一定時間以上であれば、電池３の交換作業の実施を検出し、電源タイマ４２１をリセットする。
【００４１】
点検タイマ４２２は、点検が実行された後に、同じ電池３に対して再び点検（同じ電池３に対する２回目以降の点検）を実行する時期を決定するために、未点検期間Ｔｂを計時する。点検タイマ４２２が未点検期間Ｔｂの計時を開始すると、未点検期間Ｔｂの計時値［Ｔｂ］はゼロから時間の経過に伴って増加する。また、点検タイマ４２２は、点検が実行された場合、あるいは電池３が交換された場合にリセットされ、計時値［Ｔｂ］がゼロになる。本実施形態では、点検者などが点検後、及び電池３の交換後に押釦スイッチ４９Ａ，４９Ｃを同時に押操作する。制御回路４２は、押釦スイッチ４９Ａ，４９Ｃが同時に押操作されると、点検タイマ４２２をリセットする。又は、制御回路４２が点検を実行した場合に、制御回路４２が点検タイマ４２２をリセットしてもよい。または、制御回路４２は、電池３の交換作業が実施されると、電源タイマ４２１と同様に点検タイマ４２２をリセットしてもよい。リセット後、計時値［Ｔｂ］はゼロから再び増加する。
【００４２】
そして、制御回路４２は、計時値［Ｔａ］、［Ｔｂ］に基づいて、点検を自動的に実行する自動点検処理を行う。制御回路４２は、点検値［Ｔｃ］及び再点検値［Ｔｄ］の各データを予め記憶しており、使用期間Ｔａの計時値［Ｔａ］と点検値［Ｔｃ］との比較処理、及び未点検期間Ｔｂの計時値［Ｔｂ］と再点検値［Ｔｄ］との比較処理を行う。点検値［Ｔｃ］は、例えば３年又は５年に相当する値である。再点検値［Ｔｄ］は、例えば６ヶ月以下又は１２ヶ月以下の任意の期間に相当する値である。
【００４３】
図２は、電源タイマ４２１、点検タイマ４２２、報知、点検、及び電池交換の各動作を示すタイムチャートである。
【００４４】
制御回路４２は、制御回路４２から非常用電力の供給が開始されると、電池３の充電が開始されたとして、電源タイマ４２１による使用期間Ｔａの計時を開始する（ｔ０）。電源タイマ４２１が使用期間Ｔａの計時を開始すると、使用期間Ｔａの計時値［Ｔａ］はゼロから時間の経過に伴って増加する。そして、制御回路４２は、計時値［Ｔａ］が点検値［Ｔｃ］に達すると（ｔ１）、計時値［Ｔａ］が点検値［Ｔｃ］に達してから遅延期間Ｔｇ（第１遅延期間）が経過したタイミングで点検Ｅ１を実行する。点検Ｅ１が完了すると、点検タイマ４２２がリセットされ、点検タイマ４２２による未点検期間Ｔｂの計時が開始される（ｔ２）。そして、制御回路４２は、計時値［Ｔｂ］が再点検値［Ｔｄ］に達すると（ｔ３）、計時値［Ｔｂ］が再点検値［Ｔｄ］に達してから遅延期間Ｔｈ（第２遅延期間）が経過したタイミングで点検Ｅ２を実行する。点検Ｅ２が完了すると、点検タイマ４２２がリセットされ、点検タイマ４２２による未点検期間Ｔｂの計時が開始される（ｔ４）。そして、電池３の交換処理が実行されなければ、計時値［Ｔｂ］が再点検値［Ｔｄ］に再び達してから遅延期間Ｔｈが経過したタイミングで、制御回路４２は、点検（再点検）を実行する。点検が完了すると、点検タイマ４２２がリセットされ、点検タイマ４２２による未点検期間Ｔｂの計時が開始される。なお、点検Ｅ１、Ｅ２が途中で中断されて、点検Ｅ１，Ｅ２の実行時間が規定時間に満たない場合、点検タイマ４２２はリセットされない。
【００４５】
そして、計時値［Ｔｂ］が再点検値［Ｔｄ］に達する前に、電池３を交換する交換処理Ｃ１が実行されると、制御回路４２は、電源タイマ４２１、及び点検タイマ４２２をそれぞれリセットする（ｔ５）。交換処理Ｃ１が完了すると、制御回路４２は、電源タイマ４２１による使用期間Ｔａの計時を開始する（ｔ６）。以降、上述と同様の動作が繰り返される。
【００４６】
すなわち、点灯装置４は、点検者による点検が行われない場合であっても、電池３の使用期間Ｔａが予め決められた時間（例えば法令などによって決められた３年又は５年）に達した後、点検を自動的に実行する。したがって、点灯装置４は、電池３の寿命等を考慮した適切な時期に点検を自動的に実行できる。
【００４７】
また、点灯装置４は、電池３が交換されるまで周期的に点検を実行する。このとき、点検の周期（再点検値［Ｔｄ］に相当）は、使用期間Ｔａの計時が開始されてから最初の自動点検が実行されるまでの時間（点検値［Ｔｃ］に相当）よりも短い（［Ｔｄ］＜［Ｔｃ］）。そして、点灯装置４は、最初の自動点検後に電池３が交換されない場合、再点検を自動的に実行する。したがって、点灯装置４は、電池３の寿命等を考慮した適切な時期に点検を自動的に実行できる。なお、制御回路４２は、ＲＴＣから現在時刻を取得し、あらかじめ決められたスケジュールに従って、点検可能な時間帯（例えば、防災照明器具１が設置されている建物に人がいない時間帯）に点検動作を実行させることが好ましい。
【００４８】
ここで、点検が実行された後の電池３の残容量は、点検が実行される前の電池３の残容量よりも減少する。したがって、点検の実行後に外部電源９の停電が発生すると、電池３の容量不足によって光源２の点灯時間が短くなる。この結果、複数の防災照明器具１が設置されている場合、複数の防災照明器具１のそれぞれの点検の実行タイミングが同じになると、全ての防災照明器具１において光源２の点灯時間が短くなり、非常時の照明が確保されない。
【００４９】
そこで、本実施形態の防災照明システムＢ１では、複数の防災照明器具１のそれぞれが、遅延期間Ｔｇ、Ｔｈの各時間長さを調整することで、点検を実行するタイミングを互いにずらす。すなわち、複数の防災照明器具１の各点灯装置４は、非常電源３の点検タイミングが他の点灯装置４と重複することの回避を図ることができる。この結果、外部電源９の停電が発生した場合に、複数の防災照明器具１の全て又は殆どは光源２の点灯時間を十分に維持することができ、複数の防災照明器具１が設置されている場合に、非常時の照明が確保される。
【００５０】
以下、遅延期間Ｔｇ、Ｔｈの設定方法について説明する。
【００５１】
第１設定方法では、遅延期間Ｔｇ、Ｔｈは、乱数を用いて設定される。この場合、制御回路４２は、乱数発生器（乱数発生機能）を有している。制御回路４２は、計時値［Ｔａ］が点検値［Ｔｃ］に達すると、乱数発生器が生成した乱数に対応する遅延期間Ｔｇの長さ（値）を求め、計時値［Ｔａ］が点検値［Ｔｃ］に達してから遅延期間Ｔｇが経過したときに点検を実行する。また、制御回路４２は、計時値［Ｔｂ］が再点検値［Ｔｄ］に達すると、乱数発生器が生成した乱数に対応する遅延期間Ｔｈの長さ（値）を求め、計時値［Ｔｂ］が再点検値［Ｔｄ］に達してから遅延期間Ｔｈが経過したときに点検を実行する。したがって、遅延期間Ｔｇ、Ｔｈの各長さは乱数に基づいてランダムに設定される。
【００５２】
第２設定方法では、制御回路４２は、点灯装置４に固有に付与されている識別情報（例えば、製造番号、シリアル番号など）を予め決められた規則に適用することで、遅延期間Ｔｇ，Ｔｈの各長さを求める。複数の点灯装置４には、互いに異なる識別情報が付与されており、複数の点灯装置４のそれぞれの遅延期間Ｔｇ，Ｔｈの各長さは、互いに異なる値になる。なお、遅延期間Ｔｇを求める際に適用される規則と、遅延期間Ｔｈを求める際に適用される規則とは、同じで規則であってもよいし、互いに異なる規則であってもよい。
【００５３】
第３設定方法では、点灯装置４は、設定器４４（図１参照）を備えることが好ましい。設定器４４は、例えばＤＩＰスイッチ、又はロータリスイッチなどであり、人（点検者、又はユーザなど）の操作によって、遅延期間の指示値が設定される。制御回路４２は、設定器４４によって設定された指示値に基づいて、遅延期間Ｔｇ，Ｔｈの各長さを求める。複数の点灯装置４の指示値が互いに異なる値に設定されることで、複数の点灯装置４のそれぞれの遅延期間Ｔｇ，Ｔｈの各長さは、互いに異なる値になる。なお、遅延期間の指示値は、遅延期間Ｔｇ、Ｔｈのそれぞれに対して個別の指示値が設定される構成、又は遅延期間Ｔｇ、Ｔｈのそれぞれに対して共通の指示値が設定される構成のいずれでもよい。
【００５４】
上述の第１設定方法、第２設定方法、第３設定方法によって遅延期間Ｔｇ、Ｔｈが設定される場合、複数の防災照明器具１の各点灯装置４は、互いに通信を行う必要はなく、防災照明システムＢ１の構成の簡易化を図ることができる。
【００５５】
また、制御回路４２は、使用期間Ｔａの計時値［Ｔａ］が点検値［Ｔｃ］に達する前に、報知回路４３に報知動作を実行させてもよい。図３では、計時値［Ｔａ］が点検値［Ｔｃ］に達するよりも猶予期間Ｔｅだけ早いタイミングで、報知回路４３が報知動作を実行する。すなわち、報知回路４３が報知動作を実行してから猶予期間Ｔｅが経過したタイミングで、点検が実行される。例えば、制御回路４２は、猶予期間Ｔｅの長さを１２ヶ月未満（例えば、２ヶ月など）とする。
【００５６】
また、制御回路４２は、未点検期間Ｔｂの計時値［Ｔｂ］が再点検値［Ｔｄ］に達する前に、報知回路４３に報知動作を実行させてもよい。図３では、計時値［Ｔｂ］が再点検値［Ｔｄ］に達するよりも猶予期間Ｔｆだけ早いタイミングで、報知回路４３が報知動作を実行する。すなわち、報知回路４３が報知動作を実行してから猶予期間Ｔｆが経過したタイミングで、点検が実行される。例えば、制御回路４２は、猶予期間Ｔｆの長さを１２ヶ月未満（例えば、２ヶ月など）とする。
【００５７】
上述の報知回路４３の報知動作は、点検を実施すべき時期であることを、表示素子の点灯又は点滅、あるいは圧電サウンダからの報知音の出力によって報知する。報知音は、「ピーピー」というブザー音でもよいし、「点検を行ってください。」というような音声メッセージでもよい。さらに、報知回路４３は、表示素子及び報知音による報知に代えて、若しくは表示素子及び報知音による報知とともに、識別子による報知を行ってもよい。したがって、ユーザは、自動点検が実行される前に、ワイヤレス送信器又は押釦スイッチ４９Ａを操作して点検を実行することができる。なお、制御回路４２は、ＲＴＣから現在時刻を取得し、あらかじめ決められたスケジュールに従って、報知可能な時間帯（例えば、防災照明器具１が設置されている建物に人がいる時間帯）に報知動作を実行させることが好ましい。
【００５８】
また、報知回路４３は、光源２を用いた報知を実行してもよい。この場合、報知回路４３は、光源２の点灯状態を変化させることで報知する。例えば、報知回路４３は、光源２の光量を周期的に変化させる、光源２の光色を周期的に変化させる、又は光源２を点滅させる。さらに、報知回路４３は、光源２の光出力を用いて可視光通信を行ってもよい。この場合、光源２の光出力を受信した通信機器（例えばスマートフォン、タブレット端末、又は専用端末など）は、可視光通信によって送信された報知内容を画面に表示したり、音声で報知する。
【００５９】
また、上述の使用期間Ｔａとして、電池３の製造日からの経過時間を用いてもよい。この場合、電池３の製造時に、製造日、又は製造日からの経過時間を含む電池情報を記憶させたＩＤチップ、又はＩＣタグなどの記録媒体を電池３に取り付けておく。制御回路４２は、電池３との間の電気的な接続がなされたときに、記録媒体から電池情報を読み出して、使用期間Ｔａの長さ［Ｔａ］の初期値を設定する。
【００６０】
また、上述の使用期間Ｔａとして、電池３を防災照明器具１に装着した時点からの経過時間を用いてもよい。この場合、防災照明器具１は、電池３の装着を検知するための機械スイッチ（マイクロスイッチ、又はリミットスイッチなど）を備えている。制御回路４２は、機械スイッチの出力を受けて、電池３が装着されているか否かを判定できる。
【００６１】
また、上述の点検値［Ｔｃ］を、法令などによって定められた点検の実施が不要となる期間（例えば３年又は５年など）よりも短い期間に相当する値としてもよい。したがって、電池３の製造日から防災照明器具１が施工されるまでに比較的長い時間が空いたとしても、電池３の寿命を考慮した点検が行われる。この場合、点検値［Ｔｃ］は、電池３の製造日から防災照明器具１が施工されるまでに要する時間のばらつきを、多数の電池３を対象にして調査し、このばらつきに基づいて一義に設定されることが好ましい。
【００６２】
（第１変形例）
図４は、第１変形例の防災照明システムＢ２の構成を示す。防災照明システムＢ２では、複数の防災照明器具１のそれぞれが通信機能を有する。図５は、点灯装置４の構成を示しており、点灯装置４は、通信回路５０をさらに備える。通信回路５０は、例えば通信線８に接続されており、通信線８を介して信号の送信及び信号の受信を行う。通信回路５０は、イーサネット（Ethernet）（登録商標）などの有線ＬＡＮ（Local Area Network）、またはＲＳ−４８５などの規格（例えば、IEEE 802.3、又はRS-485など）に準拠して、信号の送信及び信号の受信を行うことが好ましい。したがって、複数の防災照明器具１の各点灯装置４では、制御回路４２が通信回路５０を制御することで通信線８を介した通信を行い、制御回路４２は、他の点灯装置４との間でデータの授受を行うことができる。
【００６３】
そして、通信線８を介して通信可能な複数の点灯装置４のそれぞれが、自装置以外の他の点灯装置４と通信することによって、自装置の遅延期間Ｔｇ、Ｔｈをそれぞれ調整する。
【００６４】
例えば、複数の点灯装置４の各制御回路４２は、通信回路５０をそれぞれ制御することで、他の点灯装置４の制御回路４２から、他の点灯装置４の点検タイミングに関するデータ（次の点検タイミング、及び遅延期間Ｔｇ、Ｔｈなどの各データ）を取得する。取得タイミングは、所定時間毎、又は自装置の遅延期間Ｔｇ若しくは遅延時間Ｔｈの設定前である。したがって、複数の点灯装置４の各制御回路４２は、自装置の点検タイミングが他の点灯装置４の点検タイミングと重複しないように、自装置の遅延期間Ｔｇ、Ｔｈをそれぞれ設定できる。
【００６５】
また、複数の点灯装置４の各制御回路４２は、自装置の点検タイミングに関するデータ（次の点検タイミング、及び遅延期間Ｔｇ、Ｔｈなどの各データ）をマルチキャスト又はブロードキャストで送信してもよい。送信タイミングは、例えば遅延期間Ｔｇ又は遅延期間Ｔｈの設定時である。この場合、複数の点灯装置４のそれぞれは、他の点灯装置４における遅延期間Ｔｇ、Ｔｈの各データを容易に取得できる。
【００６６】
また、複数の点灯装置４の各制御回路４２は、定期的に他の点灯装置４に対してデータ要求をマルチキャスト又はブロードキャストで送信してもよい。データ要求を受信した制御回路４２は、自装置の点検タイミングに関するデータ（次の点検タイミング、及び遅延期間Ｔｇ、Ｔｈなどの各データ）を、データ要求の送信元の点灯装置４へ返信する。
【００６７】
また、通信回路５０は、無線通信によって信号の送信及び信号の受信を行ってもよい。例えば、通信回路５０は、無線ＬＡＮ、BLUETOOTH（登録商標）、又はZIGBEE（登録商標）などの規格（例えば、IEEE 802.11、IEEE 802.15.1、又はIEEE 802.15.4など）に準拠して、信号の送信及び信号の受信を行う。この場合、防災照明システムには、通信線８が不要となる。
【００６８】
したがって、防災照明システムＢ２が有する複数の点灯装置４のそれぞれは、他の点灯装置４の点検タイミングを把握でき、自装置の点検タイミング（遅延期間Ｔｇ、Ｔｈ）を他の点灯装置４の点検タイミングと重複しないようにフレキシブルに設定できる。
【００６９】
（第２変形例）
第２変形例の制御回路４２は、点検の実行時に、光源２を調光点灯させてもよい。この場合、制御回路４２は、外部電源９の停電時には光源２を定常点灯（例えば全点灯）させる。そして、制御回路４２は、点検時には光源２の光出力を定常点灯時よりも低くする、又は高くすることで、光源２を調光点灯させる。制御回路４２は、点灯回路４１の出力を制御することで、光源２を調光点灯させることができる。なお、調光点灯時の調光レベルは、１００％未満の調光レベル、又は１００％を上回る調光レベルである。
【００７０】
１００％未満の調光レベルの場合、点検に要する時間はより長くなるが、光源２の光出力がより小さくなるので、点灯装置４は、防災照明器具１の周囲の人に誤解を与える状況の発生を抑えて、点検を実行することができる。すなわち、防災照明器具１の周囲の人が、点検時における光源２の点灯を非常時の点灯と間違える可能性が低くなる。
【００７１】
１００％を上回る調光レベルの場合、点検に要する時間はより短くなるが、光源２の光出力がより大きくなるので、点灯装置４は、防災照明器具１の周囲の人に誤解を与える状況の発生を抑えて、点検を実行することができる。すなわち、防災照明器具１の周囲の人が、点検時における光源２の点灯を非常時の点灯と間違える可能性が低くなる。
【００７２】
（第３変形例）
第２変形例の制御回路４２は、ダミー負荷を用いた点検を実行してもよい。この場合、防災照明器具１は、光源２と並列に抵抗などを含むダミー負荷、及び点灯回路４１の出力を光源２又はダミー負荷に切替可能に電気的に接続するスイッチを具備する。制御回路４２は、通常時及び停電時は、点灯回路４１の出力を光源２に電気的に接続しておく。
【００７３】
そして、制御回路４２は、点検の実行時には、点灯回路４１の出力をダミー負荷に電気的に接続した後に点検を実行する。すなわち、点検の実行時に光源２が点灯しない。したがって、防災照明器具１の光源２が停電時以外に点灯することを抑制できるので、点灯装置４は、防災照明器具１の周囲の人に誤解を与える状況の発生を抑えて点検を実行することができる。
【００７４】
（防災照明器具）
以下、図６を用いて、防災照明器具１の構成例について説明する。本実施形態の防災照明器具１は、例えば、天井材や壁材などの造営材に取り付けられており、停電時に避難用の通路などに照明光を照射する。
【００７５】
防災照明器具１は、図６Ａ〜図６Ｃに示すように、本体１０、カバー１１及び一対の支持具１２を備える。本体１０は、一つの底面（下面）が開口した有底円筒状に形成されている。本体１０の側面に一対の支持具１２が取り付けられる。本体１０の下端には、外向きに突出する円環状のフランジ１００が形成されている。
【００７６】
これら一対の支持具１２は、長尺の板ばね状に形成される。それぞれの支持具１２は、長手方向の一端部で本体１０の側面に固定され、かつ、長手方向の他端部が本体１０の底面（上面）に近付く向き（上向き）にたわみ可能に構成されている。つまり、本体１０は、天井に設けられた埋込孔内に挿入される一対の支持具１２と、本体１０の下端面に設けられるフランジ１００との間で天井材を挟み込むようにして天井材に支持される。
【００７７】
カバー１１は、本体１０のフランジ１００の外径よりも大きい円盤状に形成され、中央に円形の窓孔１１０が設けられている（図６Ｂ参照）。この窓孔１１０には、光源ユニット２Ｕのレンズ２１が挿通される。カバー１１は、本体１０の底面の開口を開放可能に塞ぐように構成されている。カバー１１には、一対の取付ばねが取り付けられている。カバー１１は、これら一対の取付ばねにより、本体１０の底面を閉塞する状態で本体１０に保持される（図６Ｃ参照）。
【００７８】
また、光源ユニット２Ｕ、電池ユニット３Ｕ、及び点灯ユニット４Ｕは、本体１０内に収容される（図６Ｂ参照）。ただし、電池ユニット３Ｕは、本体１０の底面の開口を通して抜き差し可能に本体１０内に収容される。
【００７９】
光源ユニット２Ｕは、ＬＥＤ（Light Emitting Diode）モジュール２０及びレンズ２１を備える（図６Ｂ参照）。ＬＥＤモジュール２０は、上述の光源２が実装された基板を有しており、順方向に電圧が印加されることにより、白色、昼白色又は昼光色などの白色系の照明光を放射する。レンズ２１は、ＬＥＤモジュール２０の前方（下方）に配置され、ＬＥＤモジュール２０から放射される光を集光する。
【００８０】
電池ユニット３Ｕは、複数の素電池を具備する上述の電池３と、電池３を収容した電池ケースとを有する。電池３は、例えば、ニッケル・水素蓄電池又はニッケル・カドミウム蓄電池である。電池ケースは、合成樹脂などの電気絶縁性を有する材料で箱形に形成され、複数の素電池を内部に収容する。
【００８１】
点灯ユニット４Ｕは、上述の点灯装置４を有する。点灯装置４のモニタランプ４８から放射される光は、カバー１１に設けられた第１孔１１１を通してカバー１１の前方（下方）に出射される。受信部４７は、カバー１１に設けられた第２孔１１２を通して無線信号を受信（受光）する。報知回路４３の表示素子から放射される光は、カバー１１に設けられた第１孔１１１を通してカバー１１の前方（下方）に出射される。３つの押釦スイッチ４９Ａ、４９Ｂ、４９Ｃの各々の押釦は、カバー１１に設けられた３つの操作孔１１３と一つずつ対向するように配置されている（図６Ｂ参照）。
【００８２】
（まとめ）
上述の実施形態に係る第１の態様の点灯装置（４）は、１つ以上の他の点灯装置（４）とともに防災照明システム（Ｂ１、Ｂ２）に属する。点灯装置（４）は、点灯回路（４１）と、電源タイマ（４２１）と、制御回路（４２）と、を備える。点灯回路（４１）は、外部電源（９）の停止時に非常電源（３）から供給される非常用電力で光源（２）を点灯させる。電源タイマ（４２１）は、非常電源（電池３）の使用期間（Ｔａ）を計時する。制御回路（４２）は、使用期間（Ｔａ）の計時値（［Ｔａ］）が予め決められた点検値（［Ｔｃ］）に達した後、他の点灯装置（４）のいずれかとは異なるタイミングで、点検を実行する。前記点検は、非常電源（３）を放電させる。
【００８３】
上述の点灯装置（４）は、非常電源（３）の点検タイミングが他の点灯装置（４）と重複することの回避を図ることができる。
【００８４】
また、実施形態に係る第２の態様の点灯装置（４）では、第１の態様において、制御回路（４２）は、使用期間（Ｔａ）の計時値（［Ｔａ］）が点検値（［Ｔｃ］）に達してから遅延期間（Ｔｇ）が経過したときに点検を実行することが好ましい。
【００８５】
上述の点灯装置（４）は、遅延期間（Ｔｇ）を調整することで、非常電源（３）の点検タイミングが他の点灯装置（４）と重複することの回避を図ることができる。
【００８６】
また、実施形態に係る第３の態様の点灯装置（４）は、第１又は第２の態様において、点検タイマ（４２２）、をさらに備えることが好ましい。点検タイマ（４２２）は、点検が完了してからの期間を未点検期間（Ｔｂ）として計時し、非常電源（３）が交換される前に点検が再び実行された場合に未点検期間（Ｔｂ）の計時値（［Ｔｂ］）がリセットされる。制御回路（４２）は、未点検期間（Ｔｂ）の計時値（［Ｔｂ］）が予め決められた再点検値（［Ｔｄ］）に達した後に他の点灯装置（４）のいずれかとは異なるタイミングで点検を実行する。
【００８７】
上述の点灯装置（４）は非常電源（３）に対して実行される２回目以降の点検であっても、非常電源（３）の点検タイミングが他の点灯装置（４）と重複することの回避を図ることができる。
【００８８】
また、実施形態に係る第４の態様の点灯装置（４）では、第３の態様において、制御回路（４２）は、未点検期間（Ｔｂ）の計時値（［Ｔｂ］）が再点検値（Ｔｄ）に達してから遅延期間（Ｔｈ）が経過したときに点検を実行することが好ましい。
【００８９】
上述の点灯装置（４）は、遅延期間（Ｔｈ）を調整することで、非常電源（３）の点検タイミングが他の点灯装置（４）と重複することの回避を図ることができる。
【００９０】
また、実施形態に係る第５の態様の点灯装置（４）では、第２又は第４の態様において、制御回路（４２）は、乱数を生成し、生成した乱数に対応する値を遅延期間（Ｔｇ、Ｔｈ）の長さとすることが好ましい。
【００９１】
上述の点灯装置（４）は、乱数を用いることで、非常電源（３）の点検タイミングが他の点灯装置（４）と重複することの回避を図ることができる。
【００９２】
また、実施形態に係る第６の態様の点灯装置（４）は、第２又は第４の態様において、他の点灯装置（４）のいずれかとは異なる識別情報を有している。そして、遅延期間（Ｔｇ、Ｔｈ）の長さは、識別情報に基づいて設定されることが好ましい。
【００９３】
上述の点灯装置（４）では、点灯装置（４）に固有の識別情報に基づいて遅延期間（Ｔｇ、Ｔｈ）が設定されることで、非常電源（３）の点検タイミングが他の点灯装置（４）と重複することの回避を図ることができる。
【００９４】
また、実施形態に係る第７の態様の点灯装置（４）は、第２又は第４の態様において、人の操作によって指示値を設定するための設定器（４４）をさらに備えることが好ましい。制御回路（４２）は、指示値に基づいて遅延期間（Ｔｇ、Ｔｈ）の長さを設定する。
【００９５】
上述の点灯装置（４）は、人の操作によって遅延期間（Ｔｇ、Ｔｈ）が設定されることで、非常電源（３）の点検タイミングが他の点灯装置（４）と重複することの回避を図ることができる。
【００９６】
また、実施形態に係る第８の態様の点灯装置（４）は、第１乃至第４の態様のいずれか一つにおいて、他の点灯装置（４）と通信を行う通信回路（５０）をさらに備えることが好ましい。制御回路（４２）は、他の点灯装置（４）と通信を行うことで、他の点灯装置（４）のいずれかとは異なるタイミングで点検を実行する。
【００９７】
上述の点灯装置（４）は、他の点灯装置（４）と通信を行うことによって、非常電源（３）の点検タイミングが他の点灯装置（４）と重複することの回避を図ることができる。
【００９８】
また、実施形態に係る第９の態様の防災照明器具（１）は、第１乃至第８の態様のいずれか一つの点灯装置（４）と、光源（２）と、非常電源（３）と、本体（１０）と、を備える。光源（２）は、点灯装置（４）の出力によって点灯する。非常電源（３）は、点灯装置（４）に光源（２）を点灯させるための非常用電力を供給する。本体（１０）は、点灯装置（４）、光源（２）、及び非常電源（３）が取り付けられる。
【００９９】
上述の防災照明器具（１）は、非常電源（３）の点検タイミングが他の点灯装置（４）と重複することの回避を図ることができる。
【０１００】
また、実施形態に係る第１０の態様の防災照明システム（Ｂ１、Ｂ２）は、第９の態様の複数の防災照明器具（１）を備える。
【０１０１】
上述の防災照明システム（Ｂ１、Ｂ２）は、非常電源（３）の点検タイミングが他の点灯装置（４）と重複することの回避を図ることができる。
【符号の説明】
【０１０２】
１  防災照明器具
２  光源
３  電池（非常電源）
４  点灯装置
９  外部電源
１０  本体
４０  充電回路
４１  点灯回路
４２  制御回路
４４  設定器
５０  通信回路
４２１  電源タイマ
４２２  点検タイマ
Ｂ１，Ｂ２  防災照明システム
Ｔａ  使用期間
Ｔｂ  未点検期間
Ｔｇ  遅延期間
Ｔｈ  遅延期間
［Ｔａ］  計時値
［Ｔｂ］  計時値
［Ｔｃ］  点検値
［Ｔｄ］  再点検値
【図１】
2020027705.tif 000003
【図２】
2020027705.tif 000004
【図３】
2020027705.tif 000005
【図４】
2020027705.tif 000006
【図５】
2020027705.tif 000007
【図６】
2020027705.tif 000008